(57)【要約】【課題】映像再生を柔軟に行うことができる映像再生装置を提供する。【解決手段】コンピュータ１は、ＨＤ  ＤＶＤメディア１１９ａに格納されたＡＶコンテンツのデータを読み出すＨＤ  ＤＶＤドライブ１１９と、読み出したデータを復号化して第１映像データＢ３，Ｂ４を生成するＤＶＤ再生部１４０と、ＨＤＤ１１７に格納された再生制御情報を読み出すファイルパーサ１５１と、読み出した情報に基づいて第２映像データを生成する付加再生情報生成部１５０と、第１映像データと第２映像データとを重畳した重畳映像データＣ２を生成し再生するグラフィックコンポジタ１６３と、を備えている。【選択図】図４
2008252446.tif 000002
【特許請求の範囲】
【請求項１】
第１の記憶媒体に格納された映像情報を読み出す映像情報読出し手段と、
前記映像情報読出し手段で読み出した前記映像情報を復号化して第１の映像データを生成する第１映像データ生成手段と、
前記第１の記憶媒体とは異なる第２の記憶媒体に格納された再生制御情報を読み出す制御情報読出し手段と、
前記制御情報読出し手段で読み出した前記再生制御情報に基づいて第２の映像データを生成する第２映像データ生成手段と、
前記第１の映像データと前記第２の映像データとを重畳した重畳映像データを生成し再生する映像重畳再生手段と、
を備えたことを特徴とする映像再生装置。
【請求項２】
前記第１の記憶媒体に格納された音声情報を読み出す音声情報読出し手段と、
前記音声情報読出し手段で読み出した前記映像情報を復号化して前記第１の映像データと一緒に再生される第１の音声データを生成する第１音声データ生成手段と、
前記制御情報読出し手段で読み出した前記再生制御情報に基づいて第２の音声データを生成する第２音声データ生成手段と、
前記第１の音声データと前記第２の音声データとを重畳した重畳音声データを生成し、前記映像重畳再生手段で再生される前記重畳映像データと一緒に再生する音声重畳再生手段と、
を更に備えたことを特徴とする請求項１に記載の映像再生装置。
【請求項３】
前記制御情報読出し手段で読み出した前記再生制御情報に基づいて、前記映像重畳再生手段による前記重畳映像データの再生動作を制御する再生動作制御手段を更に備えたことを特徴とする請求項１又は２に記載の映像再生装置。
【請求項４】
前記再生制御情報は、前記第２の記録媒体に格納された制御情報ファイルに記述されることを特徴とする請求項１〜３の何れか１項に記載の映像再生装置。
【請求項５】
前記制御情報ファイルには、
前記第２映像データ生成手段が前記第２の映像データを生成する際に参照すべきファイルを示すメタデータが、前記再生制御情報として記述されることを特徴とする請求項４に記載の映像再生装置。
【発明の詳細な説明】
【技術分野】
【０００１】
本発明は、記憶媒体に格納された映像データを再生する映像再生装置に関するものである。
【背景技術】
【０００２】
近年、音声や映像を記録する機器の主流は、従来のアナログ方式の磁気テープから、デジタル方式の磁気ディスクや半導体メモリ等に移っている。特に、映像記録再生装置で使用される記憶媒体は、記録可能な容量が飛躍的に拡大している。このような記憶媒体を使用すれば、放送や通信によって提供される多数の番組の映像を保存しておき、ユーザが自在に選択して視聴できる（例えば、下記特許文献１参照。）。
【特許文献１】特開２００６−３０９９２０号公報
【発明の開示】
【発明が解決しようとする課題】
【０００３】
そして、このような映像再生においては、記録媒体に記録されているコンテンツを単純に再生するだけではなく、例えば、オリジナルの映像に所望の付加情報を加えながら再生したいといったような、様々な再生方法への要望もあり得る。
【０００４】
そこで、本発明は、映像再生を柔軟に行うことができる映像再生装置を提供することを目的とする。
【課題を解決するための手段】
【０００５】
本発明の映像再生装置は、第１の記憶媒体に格納された映像情報を読み出す映像情報読出し手段と、映像情報読出し手段で読み出した映像情報を復号化して第１の映像データを生成する第１映像データ生成手段と、第１の記憶媒体とは異なる第２の記憶媒体に格納された再生制御情報を読み出す制御情報読出し手段と、制御情報読出し手段で読み出した再生制御情報に基づいて第２の映像データを生成する第２映像データ生成手段と、第１の映像データと第２の映像データとを重畳した重畳映像データを生成し再生する映像重畳再生手段と、を備えたことを特徴とする。
【発明の効果】
【０００６】
本発明の映像再生装置によれば、映像再生を柔軟に行うことができる。  
【発明を実施するための最良の形態】
【０００７】
以下、図面を参照しつつ本発明に係る映像再生装置の好適な実施形態としてのコンピュータ１について詳細に説明する。
【０００８】
図１に示すノートブック型パーソナルコンピュータ１は、コンピュータ本体３と、コンピュータ本体３に対して開閉自在のディスプレイユニット５とを備えている。ディスプレイユニット５には、ＴＦＴ−ＬＣＤ（Thin Film Transistor Liquid Crystal Display）７が映像表示装置として組み込まれており、そのＬＣＤ７の表示画面はディスプレイユニット５のほぼ中央に位置している。
【０００９】
ディスプレイユニット５は、コンピュータ本体３に対して開放位置と閉塞位置との間を回動自在に取り付けられている。コンピュータ本体３は、薄い箱形の筐体を有しており、その上面にはキーボード９、本コンピュータ１をパワーオン／パワーオフするためのパワーボタン１１、タッチパッド１５、クリックボタン１７及びスピーカ１９が配置されている。
【００１０】
また、コンピュータ１は、ＨＤ  ＤＶＤ規格のＨＤ  ＤＶＤメディアに格納された（ＨＤ  ＤＶＤＶｉｄｅｏ規格の）オーディオ・ビデオ（ＡＶ）コンテンツを再生することができる。さらに、コンピュータ１は、ＨＤ  ＤＶＤメディアに、ＡＶコンテンツを書き込むこともできる。コンピュータ本体３の側面には、ＨＤ  ＤＶＤドライブ１１９（図２参照）に対してＨＤ  ＤＶＤメディアを出し入れするためのスロット２１が設けられている。
【００１１】
図２に示すように、このコンピュータ１は、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３、ハードディスクドライブ（ＨＤＤ）１１７、ＨＤ  ＤＶＤドライブ１１９、エンベデッドコントローラ／キーボードコントローラＩＣ（ＥＣ／ＫＢＣ）１２１、ネットワークコントローラ１２３、デジタルＴＶチューナ１２５等を備えている。
【００１２】
ＣＰＵ１０１は、コンピュータ１の動作を制御するプロセッサであり、ＨＤＤ１１７からメインメモリ１０５にロードされる各種プログラムを実行する。このＣＰＵ１０１によって実行される各種プログラムとしては、オペレーティングシステム、ＨＤ  ＤＶＤ  Ｖｉｄｅｏ規格のＡＶコンテンツを再生するＨＤ  ＤＶＤプレーヤアプリケーションプログラム１３１、デジタルＴＶ放送を視聴可能とするためのＴＶアプリケーション等が存在する。また、ＣＰＵ１０１は、ＢＩＯＳ−ＲＯＭ１１１に格納されたＢＩＯＳ（Basic Input Output System；ハードウエア制御のためのプログラム）も実行する。
【００１３】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。また、ノースブリッジ１０３はＰＣＩ  ＥＸＰＲＥＳＳ規格のシリアルバスなどを介してグラフィックスコントローラ１０７との通信を実行する機能も有している。
【００１４】
グラフィックスコントローラ１０７は、コンピュータ１のディスプレイモニタとして使用されるＬＣＤ７を制御する表示コントローラである。グラフィックスコントローラ１０７は、ブレンド処理、スケーリング処理、ルーマキー処理等の画像処理機能を有している。このグラフィックスコントローラ１０７によって生成される表示信号は、ＬＣＤ７に送られる。また、表示信号は、コンピュータ本体３に設けられたインタフェースを介して外部のＴＶやＨＤＭＩモニタに送出することもできる。
【００１５】
サウスブリッジ１０９は、ＰＣＩ（Peripheral Component Interconnect）バス上の各デバイス及びＬＰＣ（Low Pin Count）バス上の各デバイスを制御する。また、サウスブリッジ１０９は、ＨＤＤ１１７、ＨＤ  ＤＶＤドライブ１１９を制御するためのＩＤＥ（Integrated Drive Electronics）コントローラを内蔵している。更に、サウスブリッジ１０９は、サウンドコントローラ１１３との通信を実行する機能も有している。サウンドコントローラ１１３は音源デバイスであり、再生対象のオーディオデータをスピーカ１９に出力する。
【００１６】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。タッチパッド１５が操作されると操作信号が生成され、この操作信号に基づいてＬＤＣ７の表示画面上に表示されたカーソルが移動する。また、このＥＣ／ＫＢＣ１２１は、ユーザによるパワーボタン１１の操作に応じてコンピュータ１をパワーオン／パワーオフする機能を有している。
【００１７】
このコンピュータ１では、ＨＤ  ＤＶＤドライブ１１９にＨＤ  ＤＶＤメディア（第１の記憶媒体）１１９ａが挿入され、ＣＰＵ１０１がＨＤ  ＤＶＤプレーヤアプリケーション１３１を実行することで、ＨＤ  ＤＶＤメディア１１９ａに格納されたＡＶコンテンツ（映像情報）の再生が可能である。更に、このアプリケーション１３１は、ユーザが予めＨＤＤ（第２の記憶媒体）１１７に準備したマークアップファイル（制御情報ファイル）を参照し、このマークアップファイルの記述に基づいて、ＡＶコンテンツの本編の映像に所望のテキスト情報やイメージを重ねて表示したり、本編の音声に所望の音声を重ねて出力したりする機能を有している。このような機能は、例えば、ＡＶコンテンツとしての映画を再生しながら、当該映画の各シーンの解説を画面に重ねて表示させるといった使い方を可能にする。
【００１８】
更に、このアプリケーション１３１では、ＡＶコンテンツを再生しながら、上記マークアップファイルの記述に基づいて、早送りやジャンプといった所望のトリックプレイを自動的に行わせる機能を有している。このような機能は、例えば、映画の主要なシーンのみをピックアップしながらカット版として再生するといった使い方を可能にする。以下、上記のようにＡＶコンテンツ本編に付加して再生されるテキスト情報、イメージ、音声、トリックプレイ等を、「付加再生情報」という。
【００１９】
次に、ＡＶコンテンツの前述のような再生を可能とするコンピュータ１及びアプリケーション１３１の構成について、図３〜図６を参照し説明する。
【００２０】
まず、図３に、上記の付加再生情報を設定するためのマークアップファイルの一例を示す。このマークアップファイルＦ１は、ＸＭＬ形式で記述されたテキストファイルとして作成され、予めＨＤＤ１１７に格納されている。このマークアップファイルＦ１には、ＡＶコンテンツ本編の音声に重ねて出力する付加音声を設定する音声設定情報Ｈ１、ＡＶコンテンツ本編の映像に重ねて表示する付加イメージを設定する映像設定情報Ｈ２、及びＡＶコンテンツ再生におけるトリックプレイを設定するトリックプレイ設定情報Ｈ３が記述されている。
【００２１】
例えば、図３の例では、音声設定情報Ｈ１は、「再生時間００：０１：１５：００〜００：０１：２２：００において、５０％の音量で、音声ファイル『ｈｅｌｌｏ．ｗａｖ』で示される音声を、本編の音声に重ねて出力する」旨の設定を意味する。この例のように、音声設定情報Ｈ１としては、付加音声が出力されるタイミング及び付加音声の内容が記述される。映像設定情報Ｈ２は、「再生時間００：００：１０：００〜００：００：１２：００において、ディスプレイ上１０，１３０の位置に、『こんにちは』との文字と、イメージファイル『ｆａｃｅ．ｐｎｇ』で示される画像とを、本編の映像に重ねて表示する」旨の設定を意味する。この例のように、映像設定情報Ｈ２としては、付加イメージが表示されるタイミング、付加イメージの位置、及び付加イメージの内容が記述される。また、トリックプレイ設定情報Ｈ３は、「再生時間００：００：１１：２０において、自動的にＰａｕｓｅ（ポーズ）を行う」旨の設定を意味する。この例のように、トリックプレイ設定情報Ｈ３としては、トリックプレイが行われるタイミング、及びトリックプレイの内容が記述される。
【００２２】
また、マークアップファイルＦ１には、表示されるイメージデータや音声データそのものが格納されるのではなく、いわゆるメタデータとして、参照すべきイメージファイル名や参照すべき音声ファイル名が記述されている。このようにメタデータを記述するファイル形式とすることで、ファイルサイズを節約することができる。なお、上記音声ファイル「ｈｅｌｌｏ．ｗａｖ」やイメージファイル「ｆａｃｅ．ｐｎｇ」は、予めＨＤＤ１１７に格納されている。
【００２３】
続いて、図４に示すように、コンピュータ１で実行されるアプリケーション１３１は、ＤＶＤ再生部（第１映像データ生成手段、第１音声データ生成手段）１４０、付加再生情報生成部（第２映像データ生成手段、第２音声データ生成手段）１５０、オーディオミキサ（音声重畳再生手段）１６１、及びグラフィックコンポジタ（映像重畳再生手段）１６３を備えている。付加再生情報生成部１５０は、ファイルパーサ（制御情報読出し手段）１５１、タイミングエンジン（再生動作制御手段）１５３、サウンドデコーダ１５５、イメージデコーダ１５７、フォントレンダラ１５９を備えている。これらの構成要素１４０，１５０，１５１〜１６３は、ＣＰＵ１０１（図２参照）がアプリケーション１３１を実行することでソフトウエア的に実現される機能的な構成要素である。
【００２４】
このうち、ＤＶＤ再生部１４０は、ＨＤ  ＤＶＤメディア１１９ａに格納されたＨＤ  ＤＶＤ  ｖｉｄｅｏ規格のＡＶコンテンツを通常通りに再生するためのサブプログラムであり、このＤＶＤ再生部１４０としては従来のＨＤ  ＤＶＤ再生プログラムを採用することができる。ＤＶＤ再生部１４０は、図５に示すように、ストリーム分離部１４１、オーディオデコーダ１４２、ビデオデコーダ１４３、サブピクチャデコーダ１４４、及び多重化部１４５を備えている。これらの構成要素１４１〜１４５は、ＣＰＵ１０１（図２参照）がＤＶＤ再生部１４０を実現するサブプログラムを実行することでソフトウエア的に実現される機能的な構成要素である。
【００２５】
図５及び図６に示すように、ＨＤ  ＤＶＤドライブ（映像情報読み出し手段、音声情報読み出し手段）１１９は、挿入されたＨＤ  ＤＶＤメディア１１９ａからＡＶコンテンツ本編に係るＤＶＤストリームＡ１を読み出す（Ｓ６０２）。ストリーム分離部１４１には、読み出されたＤＶＤストリームＡ１が入力され、音声データ、映像データ、及び映画の字幕等に利用されるサブピクチャデータが分離される。ストリーム分離部１４１は、分離した音声データ、映像データ、サブピクチャデータを、それぞれ、オーディオデコーダ１４２、ビデオデコーダ１４３、サブピクチャデコーダ１４４に出力する。また、ストリーム分離部１４１は、ＤＶＤストリームＡ１に含まれる再生時間情報Ａ４を付加再生情報生成部１５０のタイミングエンジン１５３に出力している。
【００２６】
詳細は後述するが、タイミングエンジン１５３では、上記付加再生情報を出力するタイミングが上記再生時間情報Ａ４を基準として制御されるので、付加再生情報の出力をＡＶコンテンツ本編の再生と同期させることが可能になる。また、ストリーム分離部１４１は、後述するタイミングエンジン１５３からの再生動作指示Ｂ１を受けると、当該再生動作指示Ｂ１に基づいて上記ＨＤ  ＤＶＤドライブ１１９の制御及びＤＶＤストリームＡ１の処理を行い、ＡＶコンテンツ再生中において、ジャンプ、早送り、巻戻し、スロー再生、ポーズ等のトリックプレイを実現する。
【００２７】
オーディオデコーダ１４２は、分離された上記音声データをデコードし、ＡＶコンテンツの本編の音声データＡ２としてＤＶＤ再生部１４０外のオーディオミキサ１６１に出力する（Ｓ６０４）。ビデオデコーダ１４３は、分離された上記映像データをデコードし出力する。サブピクチャデコーダ１４４は、分離された上記サブピクチャデータをデコードし出力する。そして、多重化部１４５は、デコードされた上記映像データと上記サブピクチャデータとを多重化し、ＡＶコンテンツ本編の映像データＡ３としてＤＶＤ再生部１４０外のグラフィックコンポジタ１６３に出力する（Ｓ６０４）。このようにＤＶＤ再生部１４０から出力される上記ＡＶコンテンツ本編の音声データ（第１の音声データ）Ａ２を、以下、「本編音声データ」と称し、上記ＡＶコンテンツ本編の映像データ（第１の映像データ）Ａ３を「本編映像データ」と称する。
【００２８】
再び図４及び図６を参照し説明すると、付加再生情報生成部１５０には、マークアップファイルＦ１からの情報が入力される。すなわち付加再生情報生成部１５０のファイルパーサ１５１が、ＨＤＤ１１７からマークアップファイルＦ１を読み出し（Ｓ６０６）、当該ファイルＦ１の記述内容（音声設定情報Ｈ１、映像設定情報Ｈ２、トリックプレイ設定情報Ｈ３；再生制御情報）を解析してタイミングエンジン１５３に出力する。
【００２９】
タイミングエンジン１５３は、ＤＶＤ再生部１４０から出力される前述の再生時間情報Ａ４に基づき、音声設定情報Ｈ１で設定された再生時間００：０１：１５：００〜００：０１：２２：００に合わせて、サウンドデコーダ１５５に対して、音量５０％での音声出力指示を出力する。この音声出力指示には、音声設定情報Ｈ１で設定された音声ファイルＦ２のファイル名「ｈｅｌｌｏ．ｗａｖ」が含まれている。
【００３０】
また、タイミングエンジン１５３は、映像設定情報Ｈ２で設定された再生時間００：００：１０：００〜００：００：１２：００に合わせて、イメージデコーダ１５７に対してイメージ出力指示を出力する。このイメージ出力指示には、映像設定情報Ｈ２で設定されたイメージファイルＦ３のファイル名「ｆａｃｅ．ｐｎｇ」及びイメージの表示位置「１０，１３０」が含まれている。
【００３１】
また、タイミングエンジン１５３は、映像設定情報Ｈ２で設定された再生時間００：００：１０：００〜００：００：１２：００に合わせて、フォントレンダラ１５７に対してテキスト出力指示を出力する。このテキスト出力指示には、映像設定情報Ｈ２で設定されたテキスト「こんにちは」及びテキストの表示位置「１０，１３０」が含まれている。
【００３２】
更に、タイミングエンジン１５３は、トリックプレイ設定情報Ｈ３で設定された再生時間００：００：１１：２０に合わせて、ＤＶＤ再生部１４０に対して再生動作指示Ｂ１を出力する。この再生動作指示Ｂ１には、トリックプレイ設定情報Ｈ３で設定されたトリックプレイの種類「ポーズ」が含まれている。ＤＶＤ再生部１４０のストリーム分離部１４１（図５参照）は、再生動作指示Ｂ１を受けると、ＨＤ  ＤＶＤドライブ１１９の制御及びＤＶＤストリームＡ１の処理を行い、指示に係るトリックプレイ「ポーズ」を実現する。
【００３３】
サウンドデコーダ１５５は、タイミングエンジン１５３からの音声出力指示を受けると、指示に係る音声ファイルＦ２「ｈｅｌｌｏ．ｗａｖ」のデータを、ＨＤＤ１１７から読み出す。そして、当該音声ファイルＦ２の音声データをデコードし、デコード音声データ（第２の音声データ）Ｂ２をオーディオミキサ１６１に出力する（Ｓ６０８）。
【００３４】
イメージデコーダ１５７は、タイミングエンジン１５３からのイメージ出力指示を受けると、指示に係るイメージファイルＦ３「ｆａｃｅ．ｐｎｇ」のデータを、ＨＤＤ１１７から読み出す。そして、当該イメージファイルＦ３のイメージを、上記イメージ表示指示に係る表示位置「１０，１３０」にセットした状態の画面のイメージデータを作成する。そして、当該画面のイメージデータをデコードし、ビットマップデータ（第２の映像データ）Ｂ３をグラフィックコンポジタ１６３に出力する（Ｓ６０８）。
【００３５】
フォントレンダラ１５９は、タイミングエンジン１５３からのテキスト出力指示を受けると、テキストを表示すべき所定のフォントに対応するフォントデータファイルＦ４をＨＤＤ１１７から読み出す。そして、フォントデータファイルＦ４のフォントデータを参照して、表示すべきテキスト「こんにちは」をイメージ化する。そして、当該イメージを、上記イメージ表示指示に係る表示位置「１０，１３０」にセットした状態の画面のイメージデータを作成する。そして、当該画面のイメージデータをデコードし、ビットマップデータ（第２の映像データ）Ｂ４をグラフィックコンポジタ１６３に出力する（Ｓ６０８）。
【００３６】
オーディオミキサ１６１は、ＤＶＤ再生部１４０からの本編音声データＡ２とサウンドデコーダ１５５からの音声データＢ２とを重畳し、重畳した音声データ（重畳音声データ）Ｃ１をサウンドコントローラ１１３に送出する（Ｓ６１０）。サウンドコントローラ１１３は、この音声データＣ１に基づく制御信号をスピーカ１９に送出する。
【００３７】
グラフィックコンポジタ１６３は、ＤＶＤ再生部１４０からの本編映像データＡ３と、イメージデコーダ１５７からのビットマップデータＢ３と、フォントレンダラ１５９からのビットマップデータＢ４とを重畳し、重畳した映像データ（重畳映像データ）Ｃ２をグラフィックスコントローラ１０７に送出する（Ｓ６１０）。グラフィックスコントローラ１０７は、この映像データＣ２に基づく制御信号をＬＣＤ７に送出する。
【００３８】
このようにして、スピーカ１９からは、ＡＶコンテンツ本編の音声にマークアップファイルＦ１で設定された付加音声が重ねて出力され、ＬＣＤ７では、ＡＶコンテンツ本編の映像にマークアップファイルＦ１で設定された付加イメージが重ねて画面表示される（Ｓ６１２）。
【００３９】
以上のような構成に基づき、マークアップファイルを予めＨＤＤ１１７に準備しておけば、ＨＤ  ＤＶＤメディア１１９ａに格納されたＡＶコンテンツの再生に合わせて、付加再生情報としての音声やイメージが本編の音声・映像に重ねて再生されると共に、設定されたトリックプレイが自動的に実行される。その結果、このようなコンピュータ１及びアプリケーション１３１によれば、様々な付加再生情報を加えた柔軟なＡＶコンテンツの表現が可能になる。
【００４０】
次に、このようなコンピュータ１及びアプリケーション１３１を用いたＡＶコンテンツ再生の例について述べる。例えば、内容の理解が非常に難しい映画や、細かいところに伏線がある映画などが存在する。そこで、音声設定情報Ｈ１及び映像設定情報Ｈ２を利用して説明文、説明用画像、説明音声等を設定すれば、映画の再生中に所望のタイミングで自動的に説明を加えることができる。また、映画の字幕を追加することもできる。この場合、一般的なコンピュータのＬＣＤは画面の縦横比は１６：１０が一般的であり、画面の縦横比１６：９の映画を再生する場合には画面上下に余白部が発生するが、映像設定情報Ｈ２で表示位置を調整すれば、その余白部に字幕を表示させることも可能である。
【００４１】
また、トリックプレイ設定情報Ｈ３において、早送り・ジャンプ等のトリックプレイを適宜組み合わせて設定すれば、短時間で視聴可能なカット版を作成することができる。また、トリックプレイの組み合わせにより、本編とは全く異なる映画やパロディを作成することも可能である。
【００４２】
また、上記のような付加再生情報の設定は、ＡＶコンテンツ本編のデータとは別にマークアップファイルＦ１に準備されており、マークアップファイルＦ１は、ＨＤ  ＤＶＤメディア１１９ａとは別の記憶媒体であるＨＤＤ１１７に格納されている。従って、ＨＤ  ＤＶＤメディア１１９ａに格納されたＡＶコンテンツ自体には変更を加えることなく、ＡＶコンテンツの様々な表現が可能になる。また、このようなマークアップファイルＦ１をユーザ間で共有すれば、ＡＶコンテンツの同一の表現が共有され、当該ユーザ間でＡＶコンテンツに対する解釈、意見、要約等を共有することができる。更に、付加再生情報は、マークアップファイルＦ１へのテキストデータの記述により設定されるので、ユーザにとって作成・編集が容易である。そして、ユーザ同士では、マークアップファイルＦ１をやり取りすることにより、容易に付加再生情報の交換が可能である。以上の結果、ＡＶコンテンツの情報についてのより深いレベルのユーザ間交流が促進・創出される。
【００４３】
本発明は、前述した実施形態に限定されるものではない。例えば、付加再生情報の設定はマークアップファイルＦ１にＸＭＬ形式で記述することとしているが、これには限られず、更にユーザフレンドリなＧＵＩ等のインタフェースを採用することも可能である。また、ＡＶコンテンツ本編、及びマークアップファイルＦ１の格納場所は、それぞれＨＤ  ＤＶＤメディア１１９ａ、ＨＤＤ１１７には限られず、ＡＶコンテンツ本編とマークアップファイルＦ１とは、互いに異なる媒体に格納すればよい。また、ＡＶコンテンツ本編は、ＨＤ  ＤＶＤＶｉｄｅｏ規格には限られず、ＤＶＤ  ｖｉｄｅｏ規格のデータであってもよい。この場合のコンピュータ１では、ＨＤ  ＤＶＤドライブ１１９に代えて、ＤＶＤドライブが採用されてもよい。
【図面の簡単な説明】
【００４４】
【図１】本発明に係る映像再生装置の一実施形態であるコンピュータを示す斜視図である。
【図２】図１のコンピュータのシステム構成を示すブロック図である。
【図３】図２のＨＤ  ＤＶＤプレーヤアプリケーションで使用されるマークアップファイルの一例を示す図である。
【図４】ＨＤ  ＤＶＤプレーヤアプリケーションの実行中における図１のコンピュータの構成要素を示すブロック図である。
【図５】図４のＤＶＤ再生部の詳細を示すブロック図である。
【図６】ＨＤ  ＤＶＤプレーヤアプリケーションの処理を示すフローチャートである。
【符号の説明】
【００４５】
１…コンピュータ（映像再生装置）、１１７…ＨＤＤ（第２の記憶媒体）、１１９…ＨＤ  ＤＶＤドライブ（映像情報読み出し手段、音声情報読み出し手段）、１１９ａ…ＨＤ  ＤＶＤメディア（第１の記憶媒体）、１４０…ＤＶＤ再生部（第１映像データ生成手段、第１音声データ生成手段）、１５０…付加再生情報生成部（第２映像データ生成手段、第２音声データ生成手段）、１５１…ファイルパーサ（制御情報読み出し手段）、１５３…タイミングエンジン（再生動作制御手段）、１６１…オーディオミキサ（音声重畳再生手段）、１６３…グラフィックコンポジタ（映像重畳再生手段）、Ａ２…音声データ（第１の音声データ）、Ａ３…映像データ（第１の映像データ）、Ｂ２…デコード音声データ（第２の音声データ）、Ｂ３…ビットマップデータ（第２の映像データ）、Ｂ４…ビットマップデータ（第２の映像データ）、Ｃ１…音声データ（重畳音声データ）、Ｃ２…映像データ（重畳映像データ）、Ｆ１…マークアップファイル（制御情報ファイル）、Ｈ１…音声設定情報（再生制御情報）、Ｈ２…映像設定情報（再生制御情報）、Ｈ３…再生制御情報（再生制御情報）。
【図１】
2008252446.tif 000003
【図２】
2008252446.tif 000004
【図３】
2008252446.tif 000005
【図４】
2008252446.tif 000006
【図５】
2008252446.tif 000007
【図６】
2008252446.tif 000008